(57)【特許請求の範囲】
【請求項１】
両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとが異なるシート形状に形成されており、
前記両面用カセッテの収容部の形状が、前記シート形状の違いに起因して前記片面用蓄積性蛍光体シートを収容不可能な形状とされていることを特徴とする蓄積性蛍光体シートとカセッテの組合せ。
【請求項２】
前記片面用蓄積性蛍光体シートが、前記両面用蓄積性蛍光体シートの対応位置には存在しない付加部を有するものであり、
前記両面用カセッテの収容部の形状が、前記片面用蓄積性蛍光体シートの付加部に起因して該片面用蓄積性蛍光体シートを収容不可能な形状とされていることを特徴とする請求項１記載の蓄積性蛍光体シートとカセッテの組合せ。
【請求項３】
両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとが異なるシート形状に形成されており、
前記両面用カセッテの収容部の形状が、前記シート形状の違いに起因して前記片面用蓄積性蛍光体シートを収容不可能な形状とされており、
前記片面用カセッテの収容部の形状が、前記シート形状の違いに起因して前記両面用蓄積性蛍光体シートを収容不可能な形状とされていることを特徴とする蓄積性蛍光体シートとカセッテの組合せ。
【請求項４】
前記片面用蓄積性蛍光体シートが、前記両面用蓄積性蛍光体シートの対応位置には存在しない付加部を有するものであり、
前記両面用カセッテの収容部の形状が、前記片面用蓄積性蛍光体シートの付加部に起因して該片面用蓄積性蛍光体シートを収容不可能な形状とされており、
前記両面用蓄積性蛍光体シートが、前記片面用蓄積性蛍光体シートの対応位置には存在しない付加部を有するものであり、
前記片面用カセッテの収容部の形状が、前記両面用蓄積性蛍光体シートの付加部に起因して該両面用蓄積性蛍光体シートを収容不可能な形状とされていることを特徴とする請求項３記載の蓄積性蛍光体シートとカセッテの組合せ。
【請求項５】
前記付加部が厚さを大きくした肉厚付加部であることを特徴とする請求項２または４記載の蓄積性蛍光体シートとカセッテの組合せ。
【請求項６】
前記付加部が平面視においてシート面を広くした平面付加部であることを特徴とする請求項２または４記載の蓄積性蛍光体シートとカセッテの組合せ。
【請求項７】
前記両面用蓄積性蛍光体シートが、該両面用蓄積性蛍光体シートを表にしたときと裏にしたときとで異なる形状を有し、
前記両面用カセッテの収容部の形状が、前記両面用蓄積性蛍光体シートの前記形状に起因して該両面用蓄積性蛍光体シートを表裏反対に収容不可能な形状とされていることを特徴とする請求項１から６いずれか１項記載の蓄積性蛍光体シートとカセッテの組合せ。
【請求項８】
両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとのいずれかのシートにのみ着色部が形成されており、
前記両面用カセッテと前記片面用カセッテのうち、前記着色部が形成されたシートを収容するカセッテに前記シートに形成された着色部に対応する着色部が形成されていることを特徴とする蓄積性蛍光体シートとカセッテの組合せ。
【請求項９】
両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとの双方に位置、形状あるいは色が異なる着色部が形成されており、
前記各カセッテにそれぞれのカセッテに収容されるシートに形成された着色部に対応する着色部が形成されていることを特徴とする蓄積性蛍光体シートとカセッテの組合せ。
【請求項１０】
前記両面用蓄積性蛍光体シートに形成されている着色部が、該両面用蓄積性蛍光体シートの表面および裏面のいずれか一方に形成されているものであり、
前記両面用カセッテに形成されている着色部が、前記両面用蓄積性蛍光体シートの前記着色部が形成される面に対向する部材に形成されているものであることを特徴とする請求項８または９記載の蓄積性蛍光体シートとカセッテの組合せ。
【請求項１１】
前記両面用蓄積性蛍光体シートに形成されている着色部が、該両面用蓄積性蛍光体シートの表面および裏面の双方に互いに異なる位置、形状あるいは色で形成されているものであり、
前記両面用カセッテに形成されている着色部が、前記両面用蓄積性蛍光体シートの表面および裏面にそれぞれ形成されている着色部に対応する着色部であり、前記各面に対向する部材にそれぞれ形成されているものであることを特徴とする請求項８または９記載の蓄積性蛍光体シートとカセッテの組合せ。
【発明の詳細な説明】
【０００１】
【発明の属する技術分野】
本発明は、蓄積性蛍光体層を備えた蓄積性蛍光体シートおよび該蓄積性蛍光体シートを収容するカセッテに関する。
【０００２】
【従来の技術】
放射線（Ｘ線、α線、β線、γ線、電子線、紫外線等）を照射すると、この放射線エネルギの一部が蓄積され、その後可視光等の励起光を照射すると蓄積されたエネルギに応じて輝尽発光を示す蓄積性蛍光体（輝尽性蛍光体）を利用して、人体等の被写体の放射線画像情報を一旦シート状の蓄積性蛍光体に記録し、この蓄積性蛍光体にレーザ光等の励起光を走査して輝尽発光光を生じせしめ、得られた輝尽発光光を光電的に読み取って画像信号を得、この画像信号に基づき写真感光材料等の記録媒体、ＣＲＴ等の表示装置に被写体の放射線画像を可視像として出力させる放射線画像記録再生システムが知られている（特開昭55-12429号、同56-11395号、同56-11397号等）。
【０００３】
また、上述した輝尽発光光を光電的に読み取る方法として、シート状の蓄積性蛍光体の片面からのみ画像信号を読み取る片面読取りのほか、両面から各別に画像信号を読み取る両面読取りが知られている。この両面読取りは、例えば１００〜５００μｍ厚の透明フイルム等からなるシート状の透明支持体の表面側にシート状の蓄積性蛍光体層を積層してなる蓄積性蛍光体シートを用い、該蓄積性蛍光体シートに対して蓄積性蛍光体層側から放射線を入射させて放射線画像情報を記録し、この蓄積性蛍光体シートを蓄積性蛍光体層側から励起光走査し、この励起光走査によって蓄積性蛍光体シートの表面側（蓄積性蛍光体層側）および裏面側（透明支持体側）の双方に向けて発せられる輝尽発光光を、上記蓄積性蛍光体シートの表面側と裏面側の双方にそれぞれ設けられた光電読取手段で各別に読み取るものである（特開昭55-87970号等）。このような両面読取りによれば、両面からそれぞれ得られた信号を画素を対応させて加算処理することにより、集光効率が向上するとともにノイズ成分が平均化されるため、得られる放射線画像のＳ／Ｎ比を改善することができる。
【０００４】
また、上述の放射線画像記録再生システムにおいては、例えば平板状のカセッテに蓄積性蛍光体シートを収納して撮影を行い、撮影した画像を読み取る場合には、カセッテを自動読取装置に装着し、該読取装置において自動的にカセッテを開けて蓄積性蛍光体シートを取り出し、読取りを行う方法が採用されている。
【０００５】
片面読取用蓄積性蛍光体シートと両面読取用蓄積性蛍光体シートにはそれぞれ個別のカセッテが用意されており、読取装置は、このカセッテに付されているバーコードもしくは各蓄積性蛍光体シートに付されているバーコードを読み取ることにより、該カセッテに収容されている蓄積性蛍光体シートが片面読取用であるか両面読取用であるかを判別して、それぞれに適切な読取処理を行っている。
【０００６】
例えば、両面用カセッテを自動読取装置に装着し、該読取装置が両面用カセッテに付されているバーコードを読み取り、該カセッテが両面用であることを認識すれば、該カセッテに収容されているシートは両面用蓄積性蛍光体シートであるとして、両面読取りを行い、両面からそれぞれ読み取られた画像信号を所定の加算比率で加算処理する。
【０００７】
【発明が解決しようとする課題】
しかしながら、従来の両面用および片面用カセッテは外見上略同一であり、両面用および片面用の蓄積性蛍光体シートは略同一の形状をしているため、両面用のカセッテに片面用蓄積性蛍光体シートを収容したり、片面用カセッテに両面用蓄積性蛍光体シートを収容してしまいやすい。
【０００８】
そして、上述の画像読取装置は蓄積性蛍光体シートがそれぞれに正しい組合せでカセッテに収容されているという前提で読取処理を行うよう設定されているので、誤って両面用カセッテに片面用蓄積性蛍光体シートが収容されていたとしても、両面用カセッテに付されているバーコードにより両面用であると認識して両面読取りを行い、両面から読み取られた画像信号を加算処理して該シートからの画像信号として出力してしまう。本来、片面用蓄積性蛍光体シートの裏面からは輝尽発光光の検出ができないが、この場合裏面画像信号として加算することとなり、結果として得られる画像信号によって表される画像は非常に不鮮明なものとなる。
【０００９】
また、上述のような透明支持体の表面側に蓄積性蛍光体層を積層した両面用蓄積性蛍光体シートの場合、支持体が透明であることから、蓄積性蛍光体シートの表裏の判別がつきにくく、例えばカセッテに収容する場合に、カセッテの表側（撮影時に放射線源に向ける側）に蓄積性蛍光体シートの表面側が向くように収容すべきであるところ、蓄積性蛍光体シートを表裏反対にしてカセッテに収容してしまいやすい。
【００１０】
そして、上述の画像読取装置は両面用蓄積性蛍光体シートが表裏正しく収容されているという前提で表面側からつまり蓄積性蛍光体層側から励起光走査するように設定されているので、もし両面用蓄積性蛍光体シートがカセッテに表裏反対で収容されていると、読取装置においては透明支持体側から励起光走査が行われることとなり、そうすると、励起光走査は透明支持体を介して行われることとなって良好な読取りが困難になり、画像の鮮鋭度が大幅に低下するという問題が生じる。
【００１１】
本発明の目的は、上記事情に鑑み、両面用蓄積性蛍光体シートと両面用カセッテ、片面用蓄積性蛍光体シートと片面用カセッテの各組合せを取り違えるという問題を回避できるようにした蓄積性蛍光体シートとカセッテの組合せを提供することにある。
【００１２】
また、本発明の目的は、上記の蓄積性蛍光体シートとカセッテの組合せにおいて、さらに、両面用蓄積性蛍光体シートのカセッテ装填時に表裏判別を取り違えるという問題を回避できるようにした両面用蓄積性蛍光体シートとカセッテの組合せを提供することにある。
【００１３】
【課題を解決するための手段】
本発明の蓄積性蛍光体シートとカセッテの組合せは、両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとが異なるシート形状に形成されており、
前記両面用カセッテの収容部の形状が、前記シート形状の違いに起因して前記片面用蓄積性蛍光体シートを収容不可能な形状とされていることを特徴とする。
【００１４】
前記シート形状と、前記両面用カセッテの収容部の形状としては、例えば、前記片面用蓄積性蛍光体シートが、前記両面用蓄積性蛍光体シートの対応位置には存在しない付加部を有するものとし、前記両面用カセッテの収容部の形状が、前記片面用蓄積性蛍光体シートの付加部に起因して該片面用蓄積性蛍光体シートを収容不可能な形状とすればよい。
【００１５】
ここで、「前記両面用蓄積性蛍光体シートの対応位置」とは、両面用蓄積性蛍光体シートにおける、前記片面用蓄積性蛍光体シートの付加部が存在する位置に対応する位置をいう。
【００１６】
また、本発明の蓄積性蛍光体シートとカセッテの組合せは、両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとが異なるシート形状に形成されており、
前記両面用カセッテの収容部の形状が、前記シート形状の違いに起因して前記片面用蓄積性蛍光体シートを収容不可能な形状とされており、
前記片面用カセッテの収容部の形状が、前記シート形状の違いに起因して前記両面用蓄積性蛍光体シートを収容不可能な形状とされていることを特徴とする。
【００１７】
前記各蓄積性蛍光体シートの形状とカセッテの収容部の形状は、例えば、前記片面用蓄積性蛍光体シートを、前記両面用蓄積性蛍光体シートの対応位置には存在しない付加部を有するものとし、前記両面用カセッテの収容部の形状を、前記片面用蓄積性蛍光体シートの付加部に起因して該片面用蓄積性蛍光体シートを収容不可能な形状とし、前記両面用蓄積性蛍光体シートを前記片面用蓄積性蛍光体シートの対応位置には存在しない付加部を有するものとし、前記片面用カセッテの収容部の形状を、前記両面用蓄積性蛍光体シートの付加部に起因して該両面用蓄積性蛍光体シートを収容不可能な形状とすればよい。
【００１８】
なお、前記付加部としては、厚さを大きくした肉厚付加部であってもよいし、平面視においてシート面を広くした平面付加部であってもよい。
【００１９】
前記蓄積性蛍光体シートとカセッテの組合せにおいては、特に、前記両面用蓄積性蛍光体シートが、該両面用蓄積性蛍光体シートを表にしたときと裏にしたときとで異なる形状を有し、前記両面用カセッテの収容部の形状が、前記両面用蓄積性蛍光体シートの前記形状に起因して該両面用蓄積性蛍光体シートを表裏反対に収容不可能な形状とされていることが望ましい。
【００２０】
本発明の蓄積性蛍光体シートとカセッテの組合せは、両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとのいずれかのシートにのみ着色部が形成されており、
前記両面用カセッテと前記片面用カセッテのうち、前記着色部が形成されたシートを収容するカセッテに前記シートに形成された着色部に対応する着色部が形成されていることを特徴とする。
【００２１】
また、本発明の蓄積性蛍光体シートとカセッテの組合せは、両面読取り可能な両面用蓄積性蛍光体シートと該両面用蓄積性蛍光体シートを収容する収容部を有する両面用カセッテ、片面からのみ読取り可能な片面用蓄積性蛍光体シートと該片面用蓄積性蛍光体シートを収容する収容部を有する片面用カセッテの各組合わせにおいて、
前記両面用蓄積性蛍光体シートと前記片面用蓄積性蛍光体シートとの双方に位置、形状あるいは色が異なる着色部が形成されており、
前記各カセッテにそれぞれのカセッテに収容されるシートに形成された着色部に対応する着色部が形成されていることを特徴とする。
【００２２】
なお、上述の蓄積性蛍光体シートとカセッテの組合せにおいては、前記両面用蓄積性蛍光体シートに形成されている着色部が、該両面用蓄積性蛍光体シートの表面および裏面のいずれか一方に形成されており、前記両面用カセッテに形成されている着色部が、前記両面用蓄積性蛍光体シートの前記着色部が形成される面に対向する部材に形成されているものであってもよい。また、前記両面用蓄積性蛍光体シートに形成されている着色部が、該両面用蓄積性蛍光体シートの表面および裏面の双方に互いに異なる位置、形状あるいは色で形成されており、前記両面用カセッテに形成されている着色部が、前記両面用蓄積性蛍光体シートの表面および裏面にそれぞれ形成されている着色部に対応する着色部であり、前記各面に対向する部材にそれぞれ形成されているものであってもよい。
【００２３】
【発明の効果】
本発明にかかる蓄積性蛍光体シートとカセッテの組合せは、上述のように、片面用蓄積性蛍光体シートと両面用蓄積性蛍光体シートとが異なるシート形状であり、両面用カセッテの内部形状が、シート形状の違いに起因して片面用蓄積性蛍光体シートを収容不可能な形状とされていることにより、両面用カセッテに片面用蓄積性蛍光体シートを収容することができず、両面用カセッテに片面用蓄積性蛍光体シートを誤装填してしまうという問題を確実に防止することができる。これにより、両面用カセッテに片面用蓄積性蛍光体シートを誤装填した場合に、不適切な読取処理を行うことを防止することができる。
【００２４】
また、本発明にかかる蓄積性蛍光体シートとカセッテの組合せは、上述のように、前記両面用蓄積性蛍光体シートと前記片面用蓄積性蛍光体シートとが異なるシート形状であり、互いのカセッテが異なる組合せのシートを収容不可能な形状とされているので、両面用カセッテに片面用蓄積性蛍光体シートを収容することができず、片面用カセッテに両面用蓄積性蛍光体シートを収容することができないため、各カセッテへ異なるシートを誤装填してしまうという問題を確実に防止することができる。
【００２５】
また、上述のように、さらに、両面用蓄積性蛍光体シートを表にしたときと裏にしたときとで異なる形状を有するものとし、この形状に起因して両面用カセッテが、両面用蓄積性蛍光体シートを表裏反対に収容不可能な形状とした場合には、両面用カセッテに両面用蓄積性蛍光体シートを収容する場合に表裏反対で収容することができず、表裏反対にして収容してしまうことを確実に防止することができる。
【００２６】
また、本発明にかかる蓄積性蛍光体シートとカセッテの組合せは、上述のように、前記両面用蓄積性蛍光体シートと前記片面用蓄積性蛍光体シートとのいずれかのシートにのみ着色部が形成されており、前記両面用カセッテと前記片面用カセッテのうち、前記着色部が形成されたシートを収容するカセッテに前記シートに形成された着色部に対応する着色部が形成されていることにより、着色部が形成されている蓄積性蛍光体シートは、それに対応する着色部が形成されているカセッテに装填し、着色部が形成されていない蓄積性蛍光体シートは、着色部が形成されていないカセッテに装填すればよく、誤装填を回避することができる。
【００２７】
また、本発明にかかる蓄積性蛍光体シートとカセッテの組合せは、前記両面用蓄積性蛍光体シートと前記片面用蓄積性蛍光体シートとの双方に位置、形状あるいは色が異なる着色部が形成されており、前記各カセッテにそれぞれのカセッテに収容されるシートに形成された着色部に対応する着色部が形成されていることにより、それぞれの蓄積性蛍光体シートが片面用か両面用かを認識する必要もなく、各シートに形成されている着色部に対応する着色部が形成されているカセッテに装填すればよいく、誤装填を回避することができる。
【００２８】
さらに、前記両面用蓄積性蛍光体シートに形成されている着色部が、該両面用蓄積性蛍光体シートの表面および裏面のいずれか一方に形成されているものであり、前記両面用カセッテに形成されている着色部が、前記両面用蓄積性蛍光体シートの前記着色部が形成される面に対向する部材に形成されているものであれば、両面用蓄積性蛍光体シートの両面用カセッテへの装填時に、シートの着色部とカセッテの着色部を対応させるようにすればよく、表裏を反対で収容してしまう等の問題を回避することができる。
【００２９】
また、前記両面用蓄積性蛍光体シートに形成されている着色部が、該両面用蓄積性蛍光体シートの表面および裏面の双方に互いに異なる位置、形状あるいは色で形成されているものであり、前記両面用カセッテに形成されている着色部が、前記両面用蓄積性蛍光体シートの表面および裏面にそれぞれ形成されている着色部に対応する着色部であり、前記各面に対向する部材にそれぞれ形成されているものであれば、両面用蓄積性蛍光体シートの両面用カセッテへの装填時に、シートの着色部とカセッテの着色部を対応させるようにすればよく、表裏を反対で収容してしまう等の問題を回避することができる。
【００３０】
【発明の実施の形態】
以下、本発明の実施形態について、図面を参照しながら詳細に説明する。
【００３１】
まず最初に、蓄積性蛍光体シートとそれを収容するカセッテおよび蓄積性蛍光体シートの両面読取りについて、図１〜図３を参照しながら説明する。
【００３２】
図１に示すように、本発明の対象である蓄積性蛍光体シート50は、シート状の支持体50ａと、該支持体50ａの表面側に積層したシート状の蓄積性蛍光体層（BaFBrI：Eu）50ｂとからなる。この蓄積性蛍光体シート50においては、支持体50ａ側の面が裏面50ｃであり、蓄積性蛍光体層50ｂ側の面が表面50ｄである。蓄積性蛍光体シート50は、表面50ｄ側から見て矩形（正方形もしくは長方形）状に形成されている。さらに、蓄積性蛍光体層50ｂの表面上には図示していないが２〜５０μｍの透明保護層が設けられている。
【００３３】
両面読取り可能な両面用蓄積性蛍光体シートの場合は、支持体50ａとして、輝尽発光光を透過可能な透明な材料を用いる。具体的には、１００〜５００μｍ厚の薄い可撓性を有する軟質透明プラスチックフイルムにより形成されるのが一般的であるが、剛性を有する硬質透明プラスチックシートにより形成することもできる。なお、片面のみ読取り可能な片面用蓄積性蛍光体シートの場合は、支持体50ａとして、透明な材料を用いる必要はない。
【００３４】
図２(ａ)は、蓄積性蛍光体シート50を収容するカセッテ70を示す斜視図であり、図２(ｂ)は同図(ａ)のカセッテ70のＩ―Ｉ線断面図である。図示のように、カセッテ70は、内部にシート収容部71を有するとともに、一端に開閉可能な蓋部72を有し、蓄積性蛍光体シート50の出し入れはこの蓋部72を図示のように開けた状態で行われる。図２(ｂ)に示すように、収容部71内部の形状は各蓄積性蛍光体シート50に合致した形状に形成されている。
【００３５】
図３は、蓄積性蛍光体シート50から記録された放射線画像情報の読取りを行う放射線画像読取装置の一例を示す概略図である。図示の読取装置は、図１に示す蓄積性蛍光体シートの蓄積性蛍光体層50ｂに記録された放射線画像情報を蓄積性蛍光体シート50の各面側からそれぞれ読取り可能な装置である。
【００３６】
図示の読取装置において、放射線画像情報が記録された蓄積性蛍光体シート50は、その表面50ｄを上にしてエンドレスベルト19ａ上の所定の位置にセットされ、不図示のモータにより駆動されるエンドレスベルト19ａおよび19ｂにより、矢印Ｙ方向に搬送（副走査）される。
【００３７】
一方、光源11から発せられた励起光としてのレーザ光Ｌは、モータ12により駆動され矢印方向に高速回転する回転多面鏡13によって反射偏向され、走査レンズ14により蓄積性蛍光体シート50の表面上で収束され、かつ等速度で走査されて、この蓄積性蛍光体シート50の表面50ｄを矢印Ｘ方向に主走査する。レーザ光Ｌの主走査と蓄積性蛍光体シート50の副走査とにより、蓄積性蛍光体シート50は全面に亘ってレーザ光Ｌが照射されることになる。
【００３８】
蓄積性蛍光体シート50を照射したレーザ光Ｌは蓄積性蛍光体シート50の蓄積性蛍光体層50ｂを励起し、蓄積性蛍光体シートの表面50ｄからは記録されている放射線画像情報に応じた輝尽発光光Ｍ１が発光し、蓄積性蛍光体シートの裏面50ｃからは蓄積記録されている放射線画像情報に応じた輝尽発光光Ｍ２が発光される。
【００３９】
蓄積性蛍光体シートの表面50ｄおよび裏面50ｃから出射した輝尽発光光Ｍ１，Ｍ２は蓄積性蛍光体シートの表面50ｄおよび裏面50ｃに近接して配された集光ガイド15ａ，15ｂによってフォトマルチプライヤ16ａ，16ｂに導かれ、フォトマルチプライヤ16ａ，16ｂによって光電的に検出される。集光ガイド15ａ，15ｂはアクリル板等の導光性材料を成形して作られたものであり、直線状をなす入射端面が蓄積性蛍光体シート50上の主走査線に沿って延びるように配され、円環状に形成された出射端面に上記フォトマルチプライヤ16ａ，16ｂの受光面が結合されている。上記入射端面から集光ガイド15ａ，15ｂ内に入射した輝尽発光光Ｍ１，Ｍ２は、該集光ガイド15ａ，15ｂの内部を全反射を繰り返して進み、出射端面から出射してフォトマルチプライヤ16ａ，16ｂに受光され、放射線画像情報を表わす輝尽発光光Ｍ１，Ｍ２の光量がフォトマルチプライヤ16ａ，16ｂによってアナログ画像信号ｙ１，ｙ２に変換される。
【００４０】
フォトマルチプライヤ16ａ，16ｂから出力されたアナログ信号ｙ１，ｙ２は対数増幅器21ａ，20ｂで対数的に増幅されて対数化画像信号ｑ１，ｑ２に変換される。対数増幅された対数化画像信号ｑ１，ｑ２はＡ／Ｄ変換回路22ａ，22ｂに入力され、所定のサンプリング周期Ｔによるサンプリングでデジタル画像データＱ１，Ｑ２に変換されて画像処理部30に入力される。
【００４１】
画像処理部30は、２つの画像データＱ１とＱ２とを画素を対応させて予め設定された加算比率で重み付け加算し、得られた各画素当たり１つの画像信号Ｑに対して階調処理、周波数処理等の種々の信号処理を施して、外部の画像再生装置等に出力する。上記表面側と裏面側との加算比率は、ノイズを抑制するのに適した比率が用いられる。
【００４２】
上述の説明においては、両面読取りを行う場合について述べたが、上記画像読取装置は、片面からのみ読取り可能な片面用蓄積性蛍光体シートの読取りにおいても使用可能であり、その場合には、シート表面50ｄから発せられた輝尽発光光のみを読み取る。これは、例えば上述の場合と全く同様にして励起光走査を行って読み取るが、その際、例えば裏面側のフォトマルチプライヤ16ｂの作動を停止させ、それによって表面側のフォトマルチプライヤ15からの信号Ｑ１のみを加算部23に出力し、加算部23からはこの表側の信号Ｑ１のみを画像信号Ｓ１として演算部80に出力する。
【００４３】
なお、画像読取装置は、図２に示すカセッテを装着され、該カセッテに付されているバーコードを読み取って読取処理を行うものであるため、両面用カセッテが装着されると、そのカセッテに収容されている蓄積性蛍光体シートに対して両面読取りおよび表裏画像信号の加算処理を行い、片面用カセッテが装着されると、そのカセッテに収容されている蓄積性蛍光体シートに対して片面読取りを行う。
【００４４】
次に、本発明にかかる蓄積性蛍光体シートとカセッテの組合せの実施形態について、図４〜図１２を参照しながら説明する。図４〜図１２において(ａ)，(ｂ)はそれぞれ片面用蓄積性蛍光体シート50Ａと片面用カセッテ70Ａの組合せ、両面用蓄積性蛍光体シート50Ｂと両面用カセッテ70Ｂの組合せを示す。
【００４５】
まず、片面用シート50Ａが両面用カセッテ70Ｂには収容不可能とされている実施形態について図４〜図７を参照しながら説明する。
【００４６】
図４は、片面用シート50Ａが、厚み方向において両面用シート50Ｂの対応位置に存在しない肉厚付加部を備えた実施形態を示すものである。図４に示す各組合せにおいては、シートを斜視図、カセッテを図２(ａ)のII−II線断面に対応する断面図で示している。片面用シート50Ａには、その裏面50Acの右側縁の全長に亘って、両面用シート50Ｂの対応する右側縁には存在しない凸状の付加部53が設けられている。すなわち、片面用シート50Ａは、この付加部53により両面用シート50Ｂの対応する右側縁と比較して肉厚が大きく（ｔA＞ｔB）形成されている。この肉厚付加部53は、図示の例では支持体50ａと一体に形成されているが、別体に形成して支持体の裏面50ｃに取り付けてもよい。
【００４７】
上記のような片面用蓄積性蛍光体シート50Ａを収容するカセッテ70Ａは、収容部71Ａが、カセッテ表面70Aa側から見た収容部71Ａの下面の右側縁部に片面用シート50Ａの肉厚付加部53に合致する溝部73を有する形状に形成されている。一方、両面用蓄積性蛍光体シート50Ｂを収容するカセッテ70Ｂの収容部71Ｂには、片面用カセッテ70Ａのような溝部73を形成する必要はなく、両面用蓄積性蛍光体シート50Ｂの厚みｔB に適切な全面均一な厚み形状に形成されている。
【００４８】
したがって、片面用蓄積性蛍光体シート50Ａはその肉厚付加部52のために、両面用カセッテ70Ｂの収容部71Ｂに収容することができない。
【００４９】
なお、この実施形態では、片面用蓄積性蛍光体シートの一端に凸状の肉厚付加部を設けたが、その配設位置や形状等は種々のものを採用可能である。さらに、片面用シートとして全面厚み均一のシートを用い、両面用シートの一部に凹部を形成して、片面用シートの厚みより薄い部分を形成すれば、それに対応する片面用シートの一部を肉厚付加部とみなすことができる。この際には、両面用カセッテに、両面用シートの凹部に合致するような凸部を設けておけばよく、その凸部により、両面用カセッテは片面用シートを収容不能となる。さらには、片面用シートの厚みを全体として両面用シートの厚みより大きく形成し、それぞれのカセッテの収容部をそれぞれのシートの厚みに応じた厚み形状とすることによっても両面用カセッテを片面用シート収容不能とすることができる。
【００５０】
図５〜図７は、いずれも片面用シート50Ａが、平面視において両面用シート50Ｂの対応する位置に存在しない平面付加部を備えた実施形態を示すものである。図５〜図７の各組合せにおいては、シートを正面図、カセッテを図２(ａ)のＩ−Ｉ線断面に対応する断面図で示している。
【００５１】
図５に示す実施形態においては、片面用シート50Ａは、その４つの角部のうち３つを円弧状とし、右前角部54Ａのみが直角状に形成されている。一方、両面用シート50Ｂは、右前角部54Ｂ含む全ての角部が円弧状に形成されている。両シートを重ねると、片面用シート50Ａの直角状の角部74Ａの一部52（図中斜線で示す部分）が両面用シート50Ｂの円弧状の角部54Ｂから突出する。その突出した部分52が平面付加部である。
【００５２】
片面用カセッテ70Ａの収容部71Ａの右前角部74Ａおよび左前角部75Ａはそれぞれ片面用シート50Ａの右前角部54Ａおよび左前角部55Ａの形状に合致させて、直角状および円弧状に形成されおり、一方、両面用カセッテ70Ｂの収容部71Ｂの右前角部74Ｂおよび左前角部75Ｂの形状はそれぞれ両面用シート50Ｂの右前角部54Ｂおよび左前角部55Ｂの形状に合致させて、共に円弧状に形成されている。
【００５３】
両面用カセッテ70Ｂは、その収容部71Ｂの角部74Ｂが円弧状であるため、図５(ｂ)中二点鎖線で示すように、該両面用カセッテ70Ｂに片面用シート50Ａを挿入しても該片面用シート50Ａの角部54Ａが直角状であるために途中までしか入らず、結果として片面用シート50Ａを収容することができない。
【００５４】
図６に示す実施形態においては、片面用シート50Ａの前縁の一部に円弧状の突出部56が形成されている。両面用シート50Ｂの対応位置である前縁の部分には突出部は形成されておらず、本実施形態においてこの突出部56が平面付加部である。
【００５５】
片面用カセッテ70Ａの収容部71Ａには、片面用シート50Ａの突出部56に合致する切欠76が形成されている。一方、両面用カセッテ70Ｂの収容部71Ｂには片面用カセッテ70Ａに形成されているような切欠76は必要なく、両面用シート50Ｂに合致する形状とされている。
【００５６】
したがって、両面用カセッテ70Ｂに片面用シート50Ａを挿入してもその突出部56のために途中までしか入らず、結果として片面用シート50Ａを収容することができない。
【００５７】
図７に示す実施形態においては、両面用シート50Ｂの前縁の一部に円弧状の切欠57Ｂが形成されており、片面用シート50Ａの対応位置である前縁の部分57Ａには切欠が形成されておらず、その部分57Ａもシート面となっている。本実施形態においては、片面用シート50Ａの、両面用シート50Ｂの切欠57Ｂに対応する部分57Ａが平面付加部である。
【００５８】
片面用カセッテ70Ａの収容部71Ａは片面用シート50Ａに合致する形状に形成されており、両面用カセッテ70Ｂの収容部71Ｂは図示のように両面用シート50Ｂの切欠57Ｂに合致する突出部77が形成された形状とされている。したがって、両面用カセッテ70Ｂに片面用シート50Ａを挿入しても突出部77を備えた収容部71Ｂの形状のために途中までしか入らず片面用シート50Ａを収容￥することができない。
【００５９】
上述の図５〜図７に示した各実施形態においては、それぞれ、片面用シート50Ａに、両面用シート50Ｂの対応位置には存在しない平面付加部が形成され、この平面付加部により両面用カセッテ70Ｂに収容不可能となっている。したがって、両面用カセッテ70Ｂに片面用シート50Ａを収容することを防ぐことができる。なお、上述の各実施形態においては、シートの一部に平面付加部を形成しているが、複数の部分に付加部を形成してもよいし、付加位置や形状等は種々のものを採用可能である。また、例えば、片面用シート50Ａを両面用シート50Ｂよりも一回り大きい形状とし、各カセッテはそれぞれのシートの大きさに合致した収容部を備えるものとして両面用カセッテ70Ｂの収容部71Ｂの大きさが片面用シート50Ａよりも小さいために該片面用シート50Ａを収容できないようにしてもよい。
【００６０】
次に、片面用蓄積性蛍光体シート50Ａが両面用カセッテ70Ｂには収容不可能とされており、かつ両面用シート50Ｂが片面用カセッテ70Ａに収容不可能とされている実施形態について図８〜図１０を参照しながら説明する。図８は片面用シート50Ａおよび両面用シート50Ｂが、厚み方向において互いのシートの対応位置に存在しない肉厚付加部を備えた実施形態を示す。
【００６１】
図８に示す各組合せにおいては、シートおよびカセッテをそれぞれ斜視図で示している。なお、説明の便宜上、図８においては各シートを裏面側から見た図で示している。片面用シート50Ａは、その裏面50Acの後縁の中央部に両面用シート50Ｂの裏面50Bcの対応位置である後縁の中央部には存在しない凸状の付加部58が設けられている。すなわち、片面用シート50Ａは、この付加部58により両面用シート50Ｂの対応する部分と比較して肉厚が大きく形成されている。一方、両面用シート50Ｂは、その裏面50Bcの側縁の一部に片面用シート50Ａの裏面50Acの対応位置である側縁の一部には存在しない凸状の付加部59が設けられている。すなわち、両面用シート50Ｂは、この付加部59により片面用シート50Ａの対応する部分と比較して肉厚が大きく形成されている。
【００６２】
上記のような片面用シート50Ａを収容するカセッテ70Ａは、収容部71Ａが、カセッテ表面70ａ側から見た収容部71Ａの下面の後縁部に片面用シート50Ａの付加部58に合致する溝部78を有する形状に形成されている。一方、両面用シート50Ｂを収容するカセッテ70Ｂは、収容部71Ｂが、カセッテ表面70ａ側から見た収容部71Ｂの下面の側縁部に両面用シート50Ｂの肉厚付加部58に合致する溝部78を有する形状に形成されている。
【００６３】
したがって、片面用シート50Ａはその付加部58のために、両面用カセッテ70Ｂの収容部71Ｂに収容することができず、両面用シート50Ｂはその付加部59のために、片面用カセッテ70Ａに収容することができない。これにより、蓄積性蛍光体シートとカセッテの組合せを間違えて収容することを防止することができる。また、この実施形態では、各シートの一縁にそれぞれ凸状の肉厚付加部を設けたが、その配設位置や形状等は種々のものを採用可能である。
【００６４】
図９，１０に示す各組合せにおいては、シートを正面図、カセッテを図２(ａ)のＩ−Ｉ線断面に対応する断面図で示している。図９，１０はいずれも片面用シート50Ａが、平面視において両面用シート50Ｂの対応する位置に存在しない平面付加部を備え、かつ両面用シート50Ｂが、平面視において片面用シート50Ａの対応する位置に存在しない平面付加部を備え、互いのカセッテに収容不可能とした実施形態を示すものである。
【００６５】
図９に示す実施形態においては、片面用シート50Ａの前縁中央部に円弧状の突出部60が形成されており、両面用シート50Ｂの前縁右側に円弧状の突出部61が形成されている。それぞれの突出部60，61は、互いのシートの対応する位置には存在しない平面付加部である。
【００６６】
図示のように、片面用カセッテ70Ａは、片面用シート50Ａの突出部60に合致するように、その前縁中央部に切欠80が形成された形状であり、一方、両面用カセッテ70Ｂは、両面用シート50Ｂの突出部61に合致するように、その前縁右側に切欠81が形成された形状である。したがって、片面用シート50Ａはその突出部60のために、両面用カセッテ70Ｂの収容部71Ｂに収容することができず、両面用シート50Ｂはその突出部61のために、片面用カセッテ70Ａに収容することができない。これにより、蓄積性蛍光体シートとカセッテの組合せを間違えて収容することを防止することができる。
【００６７】
なお、この実施形態では、各シートに突出部を形成し、その突出部により異なる組合せのカセッテに収容不可能となるようにされているが、各シートが互いに平面付加部となる部分を備えればよく、突出部を形成するのに限らず、一方のシートに切欠、穴等を形成することにより他方のシートの対応位置を平面付加部とみなす形態をとってもよい。また、その平面付加部の形成位置や形状等は種々のものを採用可能である。
【００６８】
図１０に示す実施形態においては、片面用シート50Ａの前縁右側に矩形状の突出部62が設けられており、両面用シート50Ｂの対応位置（前縁右側）には円弧状の突出部63が設けられている。両突出部62,63は対応位置に形成されているが、両シートを重ねると、片面用シート50Ａの矩形状突出部62の両端部が両面用シート50Ｂから突出する平面付加部となり、両面用シート50Ｂの円弧状突出部63の先端部が片面用シート50Ａから突出する平面付加部となる。
【００６９】
片面用カセッテ70Ａの収容部71Ａは、片面用シート50Ａの矩形状突出部62と合致するように、その前縁に矩形状の切欠82が形成された形状であり、両面用カセッテ70Ｂの収容部71Ｂは、両面用シート50Ｂの円弧状突出部63と合致するように、その前縁に円弧状の切欠83が形成された形状である。したがって、片面用シート50Ａはその矩形状突出部62の両端の平面付加部のために、両面用カセッテ70Ｂの収容部71Ｂに収容することができず、両面用シート50Ｂはその円弧状突出部63の先端の平面付加部のために、片面用カセッテ70Ａに収容することができない。これにより、蓄積性蛍光体シートとカセッテの組合せを間違えて収容するということを防止することができる。
【００７０】
なお、図７、８、９に示す両面用シート50Ｂと両面用カセッテ70Ｂの組合せは、両面用シート50Ｂが、表にしたときと裏にしたときで異なる形状を有し、両面用カセッテ70Ｂの収容部71Ｂの形状が、シート50Ｂの表裏で異なる形状に起因して該シート50Ｂを収容不可能とされている実施形態でもある。
【００７１】
詳細には、図７においては、両面用シート50Ｂは、表面50Bd側から見ると右前縁部に切欠57Ｂがあるが、裏面50Bc側から見ると左前縁部に切欠57Ｂがあることとなり、表にしたときと裏にしたときで異なる形状を有する。したがって、両面用シート50Ｂを、裏面50Bcを表面と誤ってカセッテ70Ｂに挿入しようとしても、その切欠57Ｂとカセッテ70Ｂの突出部77の位置が合致しないためにカセッテ70Ｂに収容することができない。これによって、両面用シート50Ｂを表裏反対に両面用カセッテ70Ｂに収容することを防止することができる。
【００７２】
図８においては、両面用シート50Ｂは、裏面50Bc側から見ると後右縁部に裏面50Bc側に突出した肉厚付加部59があるが、表面50Bd側から見ると肉厚付加部59はなく、表裏で異なる形状を有することとなる。したがって、両面用シート50Ｂを、裏面50Bcを表面と誤ってカセッテ70Ｂに挿入しようとしても、その肉厚付加部59が収容部71Ｂの後右縁部に位置することとなり、その肉厚付加部59が収容部71Ｂに入らないことから、カセッテ70Ｂに収容することができない。これによって、両面用シート50Ｂを表裏反対に両面用カセッテ70Ｂに収容することを防止することができる。
【００７３】
図９においては、両面用シート50Ｂは、表面50Bd側から見ると右前縁部に突出部61があるが、裏面50Bc側から見ると左前縁部に突出部61があることとなり、表にしたときと裏にしたときで異なる形状を有する。したがって、両面用シート50Ｂを、裏面50Bcを表面と誤ってカセッテ70Ｂに挿入しようとしても、その突出部61とカセッテ70Ｂの切欠81の位置が合致しないためにカセッテ70Ｂに収容することができない。これによって、両面用シート50Ｂを表裏反対に両面用カセッテ70Ｂに収容することを防止することができる。
【００７４】
図７〜図９に示す両面用シート50Ｂは、表から見たときと裏から見たときとで異なるシート形状を有する一例であり、その他種々の形状および大きさの突出部、切欠、凸部、凹部、穴等の特異形状部をシートの一部もしくは複数の部分に設けることにより、表裏で異なるシート形状となるようにすることができ、両面用カセッテとして、シートに設けられた特異形状部に合致する形状の収容部を備えるものとすれば、両面用シートを表裏反対に両面用カセッテに収容することを防止することができる。
【００７５】
次に、片面用シート50Ａと片面用カセッテ70Ａ、両面用シート50Ｂと両面用カセッテ70Ｂのいずれか一方の組合せのみに着色部を設けた実施形態、および両組合せに着色部を形成すると共に、両組合せ間で着色部の位置、形状あるいは色を異ならした実施形態について図１１および図１２を参照して説明する。
【００７６】
図１１は、片面用シート50Ａと片面用カセッテ70Ａの組合せにのみに着色部が形成された実施形態を示す斜視図である。同図（ａ）に示すように、この片面用シート50Ａは、その表面50Adに所定の色で着色した三角形の着色部65が形成されており、片面用カセッテ70Adの角部に同色で着色した三角形の着色部85が形成されている。本実施形態においては、同図（ｂ）に示すように、両面用シート50Ｂと両面用カセッテ70Ｂの組合せには着色部が形成されていない。
【００７７】
上述のように、片面用シート50Ａと片面用カセッテ70Ａの組合せもしくは両面用シート50Ｂと両面用カセッテ70Ｂの組合せのいずれかの組合せにのみ着色部が形成されていれば、各シートをカセッテに装填する際に、着色部が形成されているシートはそれに対応する着色部が形成されているカセッテに装填し、着色部のないシートは同様に着色部のないカセッテに装填することにより正しい組合せでシートをカセッテに収容することができる。これにより、片面用シートを両面用カセッテに収容すること、および両面用シートを片面用カセッテに収容することを回避することができる。
【００７８】
図１２は、片面用シート50Ａと片面用カセッテ70Ａ、両面用シート50Ｂと両面用カセッテ70Ｂの双方の組合せに、互いに、位置、形状あるいは色を異ならせた着色部を形成した実施形態を示す斜視図である。同図（ａ）は、上述の図１１(ａ)に示したものと同一であり、片面用シート50Ａは、その表面50Adに所定の色で着色した三角形の着色部65が形成されており、片面用カセッテ70Ａの表面70ａの角部に同色で着色した三角形の着色部85が形成されている。本実施形態においては、さらに、図１２（ｂ）に示すように、両面用シート50Ｂと両面用カセッテ70Ｂの組合せにも着色部が形成されている。双方の組合せにそれぞれ着色部を形成する際には、互いの着色部の位置、形状もしくは色を異ならせる必要がある。ここでは、図示のように両面用シート50Ｂと両面用カセッテ70Ｂの組合せには二重丸の着色部66, 86を形成する。
【００７９】
このように、片面用シート50Ａと片面用カセッテ70Ａの組合せ、両面用シート50Ｂと両面用カセッテ70Ｂの組合せの双方にそれぞれ異なる着色部が形成されていれば、例えば図１２に示すように、三角形の着色部が形成されているシートは、三角形の着色部が形成されているカセッテに装填し、二重丸の着色部が形成されているシートは、二重丸の着色部が形成されているカセッテに装填することにより、容易に正しい組合せシートをカセッテに装填することができる。これにより、片面用シートを両面用カセッテ70Ｂに収容する、もしくは、両面用シート50Ｂを片面用カセッテ70Ａに収容するという問題を回避することができる。
【００８０】
さらに、両面用シート50Ｂと両面用カセッテ70Ｂの組合せにおいては、両面用シート50Ｂのいずれか一方の面に着色部を形成し、この着色部に対応する着色部を該着色部が形成された面の両面用カセッテの対向する部材に形成することにより、表裏を判別する必要なく、その着色部を合わせるようにしてシートをカセッテに装填すれば表裏正しく装填することができる。例えば、図１２(ｂ)に示すように、両面用シート50Ｂの表面50Bdの右前角部に二重丸の着色部を形成し、カセッテ70Ｂの表面70ａの右前角部に同様の二重丸の着色部を形成すればよい。なお、ここで両面用カセッテの対向する部材とは、例えば、シートの表面50ｄ に対向する部材はカセッテの表面70a側の部材であり、シートの裏面50c に対向する部材はカセッテの表面70a 側から見たカセッテ下側となる部材である。
【００８１】
さらに、両面用シート50Ｂと両面用カセッテ70Ｂの組合せにおいては、両面用シート50Ｂの表裏の面にそれぞれ着色部を形成してもよい。ただし、表裏面双方にそれぞれ着色部を形成する際には、互いの着色部の位置、形状もしくは色を異ならせる必要がある。図１３において、同図(ａ)は、両面用シート50Ｂと両面用カセッテ70Ｂの組合せを示す斜視図であり、同図（ｂ）は、同図（ｂ）に示す両面用シートを裏面側から見た図である。本実施の形態においては、両面用シート50Ｂの表面50Bdの右前角部に二重丸の着色部を形成し、裏面50Bcの右後角部に×印の着色部を形成してあり、該シート50Ｂの表面50Bdに対向する部材であるカセッテ70Ｂの表面70ａの右前角部に二重丸の着色部86を形成し、シート50Ｂの裏面50Bcに対向する部材であるカセッテ70Ｂの収容部71下面の右後角部に×印の着色部が形成してある。それぞれ対応する着色部が一致するように両面用シート50Ｂを両面用カセッテ70Ｂに装填することにより、表裏を判別する必要なく、表裏正しく両面用シート50Ｂを両面用カセッテ70Ｂに収容することができる。
【００８２】
なお、図１１〜１３に示した実施形態において、蓄積性蛍光体シートに形成される着色部の位置は特に限定されるものではないが、図示のように各蓄積性蛍光体シートの外周縁近傍であることが望ましい。また、着色部65，66は、蓄積性蛍光体の色とは異なる所定の色で着色されるのが望ましく、それらは単なる着色であってもよいし、図形や文字等の形状をした着色部であってもよい。さらに、ここではシール等を貼付することによって形成された着色部であってもよい。
【００８３】
なお、シート表面50ｄに形成される着色部は、蓄積性蛍光体シート50を走査する励起光および該励起光の走査によって蓄積性蛍光体シート50から発される輝尽発光光を吸収しない色で着色されている。また、裏面50ｃに形成される着色部は、励起光走査によって蓄積性蛍光体シート50から発せられる輝尽発光光を吸収しない色で着色されている。より具体的には、例えば表面50ｄは波長が５００〜６００ｎｍの領域の光のみ吸収する染料で着色することができ、裏面50ｃの着色は、例えば蓄積性蛍光体がBFX：Euである場合波長が３５０〜４５０ｎｍの領域の光を吸収しない色で着色することができ、さらには青色で着色することができる。
【００８４】
着色部65，66をこのような色に着色することにより、表面の着色部65によって励起光や輝尽発光光が吸収されることがなく、また裏面の着色部66によって輝尽発光光が吸収されることがなく、励起光や輝尽発光光の吸収損失による読取性能の低下を来す虞がない。
【図面の簡単な説明】
【図１】本発明にかかる蓄積性蛍光体シートの構造を示す斜視図
【図２】本発明にかかる蓄積性蛍光体シートを収容するカセッテの構造を示す図
【図３】蓄積性蛍光体シートから両面読取りを行う読取装置を示す概略図
【図４】本発明にかかる蓄積性蛍光体シートとカセッテの組合せの実施形態を示す図
【図５】本発明にかかる蓄積性蛍光体シートとカセッテの組合せの実施形態を示す図
【図６】本発明にかかる蓄積性蛍光体シートとカセッテの組合せの実施形態を示す図
【図７】本発明にかかる蓄積性蛍光体シートとカセッテの組合せの実施形態を示す図
【図８】本発明にかかる蓄積性蛍光体シートとカセッテの組合せの実施形態を示す図
【図９】本発明にかかる蓄積性蛍光体シートとカセッテの組合せの実施形態を示す図
【図１０】本発明にかかる蓄積性蛍光体シートとカセッテの組合せの実施形態を示す図
【図１１】本発明にかかる蓄積性蛍光体シートとカセッテの組合せの実施形態を示す図
【図１２】本発明にかかる蓄積性蛍光体シートとカセッテの組合せの実施形態を示す図
【図１３】両面用蓄積性蛍光体シートとカセッテに形成される着色部の実施形態を示す図
【符号の説明】
50    蓄積性蛍光体シート
50Ａ    片面用蓄積性蛍光体シート
50Ｂ    両面用蓄積性蛍光体シート
70    カセッテ
70Ａ    片面用カセッテ
70Ｂ    両面用カセッテ
71    収容部
71Ａ    片面用カセッテの収容部
71Ｂ    両面用カセッテの収容部
【図１】
0004024466.tif 000002
【図２】
0004024466.tif 000003
【図３】
0004024466.tif 000004
【図４】
0004024466.tif 000005
【図５】
0004024466.tif 000006
【図６】
0004024466.tif 000007
【図７】
0004024466.tif 000008
【図８】
0004024466.tif 000009
【図９】
0004024466.tif 000010
【図１０】
0004024466.tif 000011
【図１１】
0004024466.tif 000012
【図１２】
0004024466.tif 000013
【図１３】
0004024466.tif 000014